(57)【要約】【課題】通学路などにビデオカメラを設置するためのスペースを容易に確保でき、ビデオカメラが悪戯されたり、破損させられたりしても迅速な対応ができて、しかもビデオカメラの電源を低コストで確保可能な監視システムを提供する。【解決手段】ビデオカメラが収納された監視機器５を自動販売機３の上に設置する。そして、筐体の蓋の裏面にＱＲコードの印刷物を貼り付けておく。巡回作業員が、監視機器５のビデオカメラの映像を見たり監視機器５の動作状態をチェックし、チェック結果を、コードを読み取ってそこに含まれるメールアドレス宛（管理サーバ２９）に送信して報告する。管理サーバ２９の管理者は報告内容を見て監視機器５の修理者を派遣したりする。【選択図】          図１
2007257108.tif 000002
【特許請求の範囲】
【請求項１】
自動販売機の上に設置された筐体と、屋外を撮影可能な状態で前記筐体に収納された監視用ビデオカメラと、割り当てられた識別情報がコード化されたコードを表示するコード表示手段とを含む監視機器と、
前記監視用ビデオカメラにより撮影された監視映像を出力する映像出力手段と、コードを読み取って監視機器の識別情報を記録するコード読取り手段と、前記監視機器の作動状態のチェック結果の記入を促す記入画面を表示する記入画面表示手段と、記入画面に従って記入されたチェック結果を前記監視機器の識別情報とリンクさせて記録内容として記録する記録手段とを含む、前記監視機器の管理機器と、
を備えることを特徴とする自動販売機を利用した屋外監視システム。
【請求項２】
請求項１に記載した自動販売機を利用した屋外監視システムにおいて、自動販売機用の電源を監視用ビデオカメラの電源として使用することを特徴とする屋外監視システム。
【請求項３】
請求項１または２に記載した自動販売機を利用した屋外監視システムにおいて、さらに、管理機器は記録内容を通信回線経由で報告する報告手段を備えることを特徴とする屋外監視システム。
【請求項４】
請求項３に記載した自動販売機を利用した屋外監視システムにおいて、
コードにはさらにメールアドレスが含まれており、記入画面表示手段はメール作成画面を表示し、報告手段はメール送信の指令を受けると記録内容をそのメールアドレス宛に送信して報告することを特徴とする屋外監視システム。
【請求項５】
請求項３に記載した自動販売機を利用した屋外監視システムにおいて、
コードにはさらにホームページアドレスが含まれており、記入画面表示手段はコードを読み取るとそのホームページアドレスにアクセスしてＷｅｂ画面を受け取り、報告手段はＷｅｂ送信の指令を受けると記録内容を送信して報告することを特徴とする屋外監視システム。
【発明の詳細な説明】
【技術分野】
【０００１】
本発明は不審者の監視システムに係り、特に屋外に監視手段を設置した屋外監視システムに関するものである。
【背景技術】
【０００２】
最近は児童が犯罪の犠牲になる事件が頻発しており社会問題化している。このため、小学生の登下校時には父兄が通学路に立って児童の安全を図るなどの対策が検討されているが、人的負担が大きく実現が困難な地域が多い。
そこで、通学路などに防犯用にビデオカメラを設置し、監視対象領域を監視するシステムを採用しているところもある。
【発明の開示】
【発明が解決しようとする課題】
【０００３】
しかしながら、通学路にビデオカメラを設置するためのスペースを確保することが困難であるという問題がある。また、無人の屋外にビデオカメラを設置した場合、ビデオカメラが悪戯されたり、破損させられたりするおそれがある。
さらに長時間撮影をするとなると、ビデオカメラを外部電源に接続しなければならないが、そのために電源工事をするとなると費用が嵩むことになる。
【０００４】
それ故、本発明は、上記課題を解決し、経済的に採算の合う効率的な屋外の監視に利用できる監視システムを提供することを目的とする。
【課題を解決するための手段】
【０００５】
上記課題を解決するために、通学路などにビデオカメラを設置するためのスペースを容易に確保でき、ビデオカメラが悪戯されたり、破損させられたりしても迅速な対応ができて、しかもビデオカメラの電源を低コストで確保可能なことを見出し、本発明の監視システムを提案するに至った。
【０００６】
請求項１の発明は、自動販売機の上に設置された筐体と、屋外を撮影可能な状態で前記筐体に収納された監視用ビデオカメラと、割り当てられた識別情報がコード化されたコードを表示するコード表示手段とを含む監視機器と、前記監視用ビデオカメラにより撮影された監視映像を出力する映像出力手段と、コードを読み取って監視機器の識別情報を記録するコード読取り手段と、前記監視機器の作動状態のチェック結果の記入を促す記入画面を表示する記入画面表示手段と、記入画面に従って記入されたチェック結果を前記監視機器の識別情報とリンクさせて記録内容として記録する記録手段とを含む、前記監視機器の管理機器と、を備えることを特徴とする自動販売機を利用した屋外監視システムである。
【０００７】
請求項２の発明は、請求項１に記載した自動販売機を利用した屋外監視システムにおいて、自動販売機用の電源を監視用ビデオカメラの電源として使用することを特徴とする屋外監視システムである。
【０００８】
請求項３の発明は、請求項１または２に記載した自動販売機を利用した屋外監視システムにおいて、さらに、管理機器は記録内容を通信回線経由で報告する報告手段を備えることを特徴とする屋外監視システムである。
【０００９】
請求項４の発明は、請求項３に記載した自動販売機を利用した屋外監視システムにおいて、コードにはさらにメールアドレスが含まれており、記入画面表示手段はメール作成画面を表示し、報告手段はメール送信の指令を受けると記録内容をそのメールアドレス宛に送信して報告することを特徴とする屋外監視システムである。
【００１０】
請求項５の発明は、請求項３に記載した自動販売機を利用した屋外監視システムにおいて、コードにはさらにホームページアドレスが含まれており、記入画面表示手段はコードを読み取るとそのホームページアドレスにアクセスしてＷｅｂ画面を受け取り、報告手段はＷｅｂ送信の指令を受けると記録内容を送信して報告することを特徴とする屋外監視システムである。
【発明の効果】
【００１１】
本発明によれば、通学路にビデオカメラを設置するためのスペースを容易に確保できて、しかもビデオカメラの電源を低コストで確保できる。また、ビデオカメラが悪戯されたり、破損させられたりしても迅速な対応ができる。
従って、通学路のような屋外の監視に利用できる、実用的な屋外監視システムを提供できる。
【発明を実施するための最良の形態】
【００１２】
以下に、本発明の第1の実施の形態に係る自動販売機を利用した屋外監視システムを図面に従って説明する。
図１は自動販売機を利用した屋外監視システム１の全体の説明図である。
図１、図２に示すように、自動販売機３の上に監視機器５が設置されている。
自動販売機３の上面は従来において全く利用されていない空きスペースであるので、監視機器５の設置スペースとして有効に活用できる。また、自動販売機は通りに面して配置されているので、屋外監視システム１の設置場所に適している。
以下、監視機器５の構成を説明する。
【００１３】
符号７は筐体を示し、この筐体７の前面には２つの開口９ａ、９ｂが形成されている。また、筐体７の上面は開口しており、蓋１１により開閉自在になっている。また、この筐体７と蓋１１には図示しない鍵機構が備られており、蓋１１をロックできる構成となっている。
筐体７の内部には監視用ビデオカメラ１３が収納されている。監視用ビデオカメラ１３には２つのレンズ１５ａ、１５ｂが備えられている。これらのレンズ１５ａ、１５ｂは筐体７の開口９ａ、９ｂにそれぞれ対向して配置されており、筐体７の外部を撮影できる。レンズ１５ａ、１５ｂは左方向と右方向へそれぞれ傾いた姿勢となっており、かなり広い視野で撮影ができる構成となっている。
【００１４】
監視用ビデオカメラ１３には再生用モニター（映像出力手段）は接続されておらず、図３に示すように、ビデオ映像の再生時にはハンディタイプの再生用モニター１５がコード１７を介して監視用ビデオカメラ１３に接続される。
監視用ビデオカメラ１３は自動販売機３用に設けられた図示しない電源に接続されて動作し、屋外を常時撮影して、その撮影画像を監視映像として蓄積する。
【００１５】
符号１９はコード印刷物（コード表示手段）を示し、このコード印刷物１９は筐体７の蓋１１の裏面に貼り付けられている。コード印刷物１９にはＱＲ（二次元）コード）が印刷されている。コード化されているものは、監視用ビデオカメラ１３の識別情報、具体的には設置されている地点を特定するための巡回コース、監視ポイント（地点）と、メールアドレスである。このメールアドレスは、屋外監視システム１における管理会社の管理サーバ２９の備えるメールサーバのメールアドレスである。
なお、メールアドレスは、（abcd＠xxx.com）で構成されており、「abcd」は監視機器５の識別情報（巡回コース、監視ポイント）になっている。従って、受信したメールアドレスからどこに設置された監視機器５かを判別することができる。
【００１６】
以下、管理機器２１の構成を説明する。
符号２３はＰＤＡを示し、このＰＤＡ２３には、図４に示すように、クレードル２４を介して、コード印刷物１９に表示されたＱＲコードのペン型スキャナ（コード読取り手段）２５が着脱自在に接続されている。ペン型スキャナはマニュアルタイプなので大きなコードでも読み取ることができる。ペン型スキャナは市販されているが、携帯している人は業務に必要な人を除けば少ないので、ペン型スキャナに対応したコードに印刷することで、悪戯を未然に防止することができる。また、ＰＤＡ２３には携帯電話機２７も着脱可能に接続される。
ＰＤＡ２３には制御部と管理プログラムの格納された記録部が備えられている。携帯電話機２７には制御部と表示部と入力部と記録部とメール通信部とが備えられている。また、携帯電話機２７にはカメラ部も備えられている。
【００１７】
この実施の形態では、スキャナ２５がＱＲコードを読み取ると、ＰＤＡ２３の制御部がその情報を取得し、そこに含まれるメールアドレス宛のメール作成画面を作成して、携帯電話機２７の表示部に表示する。メール作成画面は、当該監視機器５の動作状態のチェック結果の記入を巡回作業員に促す記入画面である。従って、記入画面表示手段はＰＤＡ２３と携帯電話機２７とによって構成されている。
また、携帯電話機２７の入力部の操作により記入画面に従って記入されたチェック結果は、監視機器５の識別情報とリンクされて記録内容として携帯電話機２７の記録部に記録される。従って、記録手段は携帯電話機２７によって構成されている。この記録内容は、携帯電話機２７のメール通信部を利用して送信される。報告手段は携帯電話機２７によって構成されている。
なお、メールには携帯電話機２７のカメラ部の操作により撮影された監視機器５の破損状況を撮影したカメラ画像を添付して送信することもできる。
【００１８】
以下に、屋外監視システム１の利用方法と、利用時の管理機器２１などの動作内容を、図５のフローチャートに従って説明する。
巡回作業員は、再生用モニター１５、管理機器２１（ＰＤＡ２３、クレードル２４、スキャナ２５、携帯電話機２７）を所持して、所定の巡回コースを回り、この監視システム１用の巡回監視を行う。
巡回作業員は、巡回コース（ＴＭコース）の監視地点（１）に到着すると、以下の手順で監視作業を行う。
【００１９】
（１）監視機器５の筐体７の外観を検査する。
（２）図２に示すように、監視機器５の筐体７の蓋１１を開けて監視用ビデオカメラ１３を取り出し、監視用ビデオカメラ１３に再生用モニターをコードで接続して、録画された監視画像を再生して見て、正常に録画されているかをチェックする。
【００２０】
（３）次に報告処理作業に入る。
監視機器５のチェック結果はレベルで分類する。レベル０は破損や悪戯がなく、所定の動作状態（即ち、監視用ビデオカメラ１３が所定の撮影方向で撮影を継続できる状態）であること意味する。レベル１は破損や悪戯があるが、所定の動作が可能な状態を意味し、レベル２は破損、悪戯などがあり、所定の動作が不可能な状態を意味する。例えば、筐体７が落書きされている程度であれば、レベル１に相当し、監視用ビデオカメラ１３のレンズにペンキが塗られており撮影できない状態であれば、レベル２に相当する。
【００２１】
図６のフローチャートに従って、報告手順を詳細に説明する。巡回作業員はＰＤＡ２３にスキャナ２５と携帯電話機２７とが接続されてなる管理機器２１を取り出し、先ず、スキャナ２５を操作してコード印刷物１９のＱＲコードを読み取る。
ＱＲコードが読み取られると、携帯電話機２７の表示部にメール作成画面が表示されるので、巡回作業員は悪戯や破損がある場合には、図７に示すように、題名の入力欄に、レベル１を意味する“１”か、或いはレベル２を意味する“２”を携帯電話機２７の入力部の操作により入力する。また、必要により、本文の入力欄に、同様の操作により、簡単な説明、例えば、レンズにペンキが塗られているなどを入力する。なお、レベル０の場合には何も入力せず、空メールとする。
【００２２】
次に、巡回作業員は管理サーバのメールアドレス宛に、携帯電話機２７のメール通信部の操作により送信し、蓋１１を閉める。次に、図８に示す所定の記録シート（巡回コース点検確認表）に点検済みを記載する。この記録シートは勤怠記録シートであり、所定の巡回ルートの巡回を終了した後に、巡回作業員が所定の部署に提出する。
上記の作業を終了すると、巡回作業員は次の地点に向かって移動し、その地点に到達すると同様の作業を繰り返す。
【００２３】
一方、巡回作業員によりメール送信されると、ＱＲコードの読み取りにより得られた監視用ビデオカメラ１３の識別情報はチェック結果とリンクされて記録内容として、携帯電話機２７の記録部に記録されると共に、管理サーバ２９の記録部に記録される。
メールを受信した管理サーバ２９の管理者は、その内容をチェックして対応する。まず、メールの発信元のメールアドレスをチェックする。そして、管理サーバ２９は登録外のメールアドレスを発信元とするメールを受信したときには、管理サーバ２９の管理者は、現場に修理者を向かわせ監視機器５に異常がないかどうかを確認させる。そして、異常有りの場合には修理したり監視機器５を回収したりすると共に、その監視機器５に割り当てられたＱＲコードを変更する。なお、異常無しの場合でも、ＱＲコードは変更する。今度の悪戯によるメール送信を未然に防止するためである。
【００２４】
なお、巡回作業員が送信したメールの情報によって、巡回ポイントを抜かして巡回した場合には、管理サーバにおいて警報が発せられる。この警報に気づいた管理者が巡回作業員に電話をかけて、抜けた巡回ポイントを伝える。或いは管理サーバに電話を接続しておき、巡回ポイントを抜かして巡回した場合には、巡回作業員に自動的に電話をして、その旨をアナウンスするシステム構成としてもよい。
【００２５】
次に、記録内容をチェックする。
例えば、レベル１の場合には、後日、専門の修理者を現場に出動させてその場で修理できる場合にはその監視機器５を修理し、その場で修理が不可能な場合にはそれを回収し代替の監視機器５を設置しておく。
レベル２の場合で、破損が故意によるものと判断した場合には警察署に連絡したり、警備員による当該巡回コースの巡回を行ったりする。また、監視機器５が所定の状態で作動できない場合には、修理者を現場に出動させて上記と同様に対応させる。
【００２６】
以下に、本発明の第２の実施の形態に係る自動販売機を利用した屋外監視システムを、図９のフローチャートに従って説明する。
この屋外監視システムでは、携帯電話機を使用せずにＷｅｂ通信機能を有するＰＤＡを利用している。そして、ＱＲコードにはホームページアドレスが含まれており、メール送信ではなく、Ｗｅｂ通信を利用している。
ＱＲコードが読み取られると、管理サーバにＷｅｂ画面の送信要求がなされ、ＰＤＡはその画面を受け取ると表示部にＷｅｂ画面を表示する。
【００２７】
このＷｅｂ画面はログインページであり、パスワードを入力して送信すると、管理サーバが認証を行い、ＯＫの場合には管理サーバから記入画面としてのＷｅｂ画面を受け取れる。従って、巡回作業員は、第1の実施の形態と同様に所定の記入欄に記入する。
次に、スキャナを操作して、監視用ビデオカメラの識別情報を読み取ると、その識別情報がＷｅｂ画面上に表示される。
最後に、Ｗｅｂ画面を送信し、さらにログアウトして作業を終了する。
このシステムではＷｅｂ送信を利用しており、セキュリティを高く設定できる利点がある。
【００２８】
以上、本発明の実施の形態を説明したが、本発明の具体的構成が上記の実施の形態に限定されるものではなく、本発明の要旨から外れない範囲での設計変更があっても本発明に含まれる。
例えば、上記の実施の形態では、携帯電話機、ＰＤＡと言った現在使用されている機器を用いてシステムを構成しているが、所定の機能を達成できれば、ＰＣなどを利用してもよい。
また、データを対象に送る場合などは、携帯電話機を通信機能のみに利用してもよい。さらに、スキャナとして携帯電話機の備えるスキャナ部を利用してもよい。
上記実施の形態では本発明の監視機器を通学路に配置する例を示したが、本発明はこれに限定されず、商店街等、通学路以外の箇所に設置できることは勿論である。
【産業上の利用可能性】
【００２９】
本発明の自動販売機を利用した屋外監視システムによれば、自動販売機やその電力供給用の外部電源を利用できるので設置費用を低く抑えることができる。
【図面の簡単な説明】
【００３０】
【図１】本発明の第１の実施の形態に係る自動販売機を利用した屋外監視システムの全体的構成の説明図である。
【図２】図１に示す監視機器の斜視図である。
【図３】図２に示す監視機器の監視画像の再生手段の説明図である。
【図４】図２に示す監視機器の監視結果の報告手段の説明図である。
【図５】図１の屋外監視システムにおける巡回作業員の作業手順を示すフローチャートである。
【図６】報告作業時における巡回作業員の操作内容と、管理機器と管理サーバの動作内容の説明図である。
【図７】メール作成画面の例である。
【図８】記録シート（巡回コース点検確認表）の例である。
【図９】第２の実施の形態に係る屋外監視システムの報告作業における巡回作業員の操作内容と、管理機器と管理サーバの動作内容の説明図である。
【符号の説明】
【００３１】
１‥‥自動販売機を利用した屋外監視システム
３‥‥自動販売機    ５‥‥監視機器    ７‥‥筐体      ９‥‥開口
１１‥‥蓋      １３‥‥監視用ビデオカメラ
１５‥‥再生用モニター    １７‥‥コード
１９‥‥コード印刷物        ２１‥‥管理機器
２３‥‥ＰＤＡ      ２４‥‥クレードル      ２５‥‥スキャナ
２７‥‥携帯電話機      ２９‥‥管理サーバ
【図１】
2007257108.tif 000003
【図２】
2007257108.tif 000004
【図３】
2007257108.tif 000005
【図４】
2007257108.tif 000006
【図５】
2007257108.tif 000007
【図６】
2007257108.tif 000008
【図７】
2007257108.tif 000009
【図８】
2007257108.tif 000010
【図９】
2007257108.tif 000011